(57)【特許請求の範囲】
【請求項１】
少なくとも複数個の収穫用容器を横方向に直列状に載置可能とする長さ寸法の一対の長杆と、それら長杆を収穫用容器が載置可能となる間隔に固定する一対の短杆とによって同一平面内に収まる横長台枠を形成した上、該平板状の横長台枠が、その一方の長杆の地上からの高さ位置を略畝高以上に規制し、他方の長杆をそれよりも高くした傾斜姿勢となる如くし、長杆に平行配置した空気入れタイヤからなる畑地運行用車輪に対し、低位側の長杆は、同側の畑地運行用車輪の内側にあって略車軸辺りに位置させ、高位側の長杆は、同側の畑地運行用車輪よりも上に位置させた上、当該畑地運行用車輪を装着するための軸受枠から立ち上げた縦杆に支承されるようにすると共に、同横長台枠低位側の長杆に直接かまたはその近傍には、収穫用容器ズレ落ち防止用の受止め部が併設されてなるものとする一方、両短杆間の適所には、収穫物仕切り用緩衝シート等を収納する資材スタンドが、さらに何れか一方の短杆側には収穫用刃物その他の収穫用具を収容する用具ボックスが、何れも着脱自在に取着されると共に、前記縦杆の上端には、低位側長杆に沿う側だけを開放状とする雨避け覆いが着脱自在に組み合わされてなるものとしたことを特徴とする収穫用台車。
【請求項２】
畑地運行用車輪が、横長台枠の長杆に平行するように配置され、横長台枠の長杆軸心方向に移動可能としてなる、請求項１記載の収穫用台車。
【請求項３】
横長台枠が、その傾斜姿勢を変更可能に形成されてなる、請求項１または２何れか記載の収穫用台車。
【発明の詳細な説明】
【０００１】
【発明の目的】
この発明は、野菜等農産物を収穫するための台車に関し、特に拡大な面積に露地植え栽培されるレタスに代表されるように、畝作りをした畑地で育成、栽培して収穫する野菜等農産物を、その畑地において品質等級毎に区分けしながら収穫することが可能となるようにする新規な構造からなるの収穫用台車を提供しようとするものである。
【０００２】
【従来の技術】
社会構造が益々高度化し、複雑化するに連れ、溜まっていくストレスを上手に解消し、普段からの健康的な生活の維持、管理を志す必要から、人々の食生活に対する関心度は極めて高く、バランスの取れた栄養を摂取するために、日々の食卓に黄緑色野菜は欠くことができない食材の一つとなっている。特に春から秋口に掛けての黄緑色野菜として、路地物レタスはその人気のある野菜の代表格となっており、レストラン等の専門店はもとよりのこと、一般家庭においても大量に消費されることから、レタスを露地植え栽培する農家では、毎日その収穫、出荷に追われ続けている。
【０００３】
このレタスは、拡大な面積の畑に約１５cm程度の高さの畝を約４０〜５０cm程度の間隔で長く多数列に畝上げし、播種、育成して適度な大きさの玉になるのを待って順次根元を刃物で切断して収穫され、その場で周辺の痛んだ葉を取り除き、野菜コンテナに入れた上、各種公知の運搬車を使って一箇所に集めてから大小の仕分け作業をして所定の出荷用のダンボール箱に詰めるようにしたり、あるいは、畝沿いに予め出荷用のダンボール箱を持ち込んだ上、切り取ったレタスからその場で周辺の痛んだ葉を取り除くと共に、玉のサイズも合わせて判別し、Ｓ、Ｍ、Ｌ、ＬＬ等といったサイズ基準に基づく品質等級毎に仕分けをして先のダンボール箱に詰め分け、一杯となったダンボール箱を種々の公知の運搬車に載せて所定の箇所に集荷するようにした後、トラックにまとめて積載、出荷しているのが、これまでの一般的な栽培、収穫工程である。
【０００４】
この従前からの工程の中、特に畝からのレタスの切り取り作業、および野菜コンテナまたは出荷用ダンボール箱への詰め込み作業には、作業者によって多少の個人差はあるとしても、大体は中腰のままでの作業を、それも早朝の出荷時間に間に合わせて集中的且つ長時間に渡って続けなければならないことから、レタス栽培農家の人々にとって、これらの収穫作業は、極めて過酷な労働内容となっており、それを解消するための何等かの有効な手段の提供が望まれている。
【０００５】
しかしながら、これまでのところでは、軽くて操作性の良いアルミ製のハウスカーや、コンテナカー等が実用化されてきてはいるものの、例えば従前のコンテナカー等の運搬車は、車輪の小さな運搬車では移動に際して抵抗が掛り過ぎることから、比較的大きな直径の空気入れタイヤを採用せざるを得ず、荷台はその車輪の上に平坦な状態に設置されているものが殆どであり、必然的に荷台が高い位置になる上、その上に略水平状にダンボール箱が載置されることとなるため、収穫作業者は、レタスの切り取り作業に適した膝付き姿勢のままではダンボール箱内へのレタスの収容動作だけでも困難を伴うものとなってしまう外に、ダンボール箱奥底が見えないため、収納状態の確認は到底なし得ず、また奥部へ手も届かない状態となっていて、レタスを痛めないで静かに並べ置くようにする作業等は全く実施不能となることから、結局レタスを切り取る度毎に、それまでの膝付き姿勢を崩してわざわざ立ち上がる動作を伴うものとなっていた。
【０００６】
こうした実情から、従前からの公知の各種運搬車を使っての収穫作業では、レタスの切り取り数に応じた回数分の腰の屈折動作を重ねることになり、作業者の腰への負担は極端に大きくなって腰痛の原因を成してしまい、健全な農家経営に支障を来す事態すらも憂慮しなければならなかったし、加えて、従前からのコンテナカー等の運搬車は荷台が短く、大きなものでも野菜コンテナやダンボール箱が精々３個（但し、重ね積みは可能だが、その状態では仕分けしながらの収容ができない。）しか並べられず、仕分け作業を同時に行うためには、別の位置に置いたダンボール箱まで歩いて移動する作業を伴い、作業の効率化に繋がらないだけではなく、それだけ肉体的疲労度を増す要因ともなっていて、さらに作業者の健康管理に不都合を来す慮が倍加することにもなり兼ねなかった。
【０００７】
この発明は、上記のような野菜等農産物、特にレタスの収穫作業の実態に鑑み、作業者が、収穫作業に際してその作業姿勢を中腰になる場面を殆ど必要とせず、レタスの切り取り作業に都合の良い膝付き姿勢のまま、ダンボール箱等の収穫用容器内への収穫物の収納が円滑に実施可能になると共に、大きさや形、色等といった品質等級毎に仕分けするにしても、横方向、畝に沿って直列状に並置した複数個の収穫用容器全体の幅内となる限られた範囲で膝を引き摺っての移動で済ますことができ、しかも、収穫容器内での収穫物の整列、収容具合の確認もそのまま継続した姿勢でなし得るようにするといった、作業内容に応じ、負担の掛からない膝付き姿勢で収穫作業の遂行が可能であり、さらに収穫用容器内への収容を終えた後には、それまでの公知の運搬車同様、所望する場所まで軽快に移動、搬送が可能となる利便性に富んだ台車の開発、研究に取り組み、度重なる試行錯誤と試作実験とを繰り返してきた結果、遂にここにきて新規な構造からなる収穫用台車の完成を見るに至り、以下では、その構成を、幾つかの具体的な実施例を交え、詳細に説示するものである。
【０００８】
【発明の構成】
この発明の収穫用台車は、基本的に次のような構成を要旨としている。
即ち、少なくとも複数個の収穫用容器を横方向に直列状に載置可能とする長さ寸法の一対の長杆と、それら長杆を収穫用容器が載置可能となる間隔に固定する一対の短杆とによって同一平面内に収まる横長台枠を形成した上、該平板状の横長台枠が、その一方の長杆の地上からの高さ位置を略畝高以上に規制し、他方の長杆をそれよりも高くした傾斜姿勢となる如くし、長杆に平行配置した空気入れタイヤからなる畑地運行用車輪に対し、低位側の長杆は、同側の畑地運行用車輪の内側にあって略車軸辺りに位置させ、高位側の長杆は、同側の畑地運行用車輪よりも上に位置させた上、当該畑地運行用車輪を装着するための軸受枠から立ち上げた縦杆に支承されるようにすると共に、同横長台枠低位側の長杆に直接かまたはその近傍には、収穫用容器ズレ落ち防止用の受止め部が併設されてなるものとする一方、両短杆間の適所には、収穫物仕切り用緩衝シート等を収納する資材スタンドが、さらに何れか一方の短杆側には収穫用刃物その他の収穫用具を収容する用具ボックスが、何れも着脱自在に取着されると共に、前記縦杆の上端には、低位側長杆に沿う側だけを開放状とする雨避け覆いが着脱自在に組み合わされてなるものとした構成からなる収穫用台車である。
【０００９】
横長台枠は、各種野菜等農産物に応じて決められている収穫用容器、例えば代表的なダンボール箱を始め、木製箱やプラスチックケース、発泡樹脂容器等、各種性状の容器を、その品質等級区分に必要な個数分だけ横方向に連ねて載置し、夫々の容器内に収穫物を満載した状態でもそれらを支持する機能を果たすと共に、台車としての重要な構成要件である後述の畑地運行用車輪を、直接か、あるいは適宜補助部材を介して軸着するための車体フレームとしての機能をも担うものであり、少なくとも複数個の収穫用容器を横方向に直列状に載置可能にするに必要な長さの一対の長杆と、それら長杆を収穫用容器が載置可能となる間隔（必ずしも載置する収穫用容器の大きさに合致する間隔寸法のものに限らず、収穫用容器の一部を食み出させてしまう間隔寸法、あるいは逆にそれよりも大きい間隔寸法も含む。）に固定する一対の短杆とによって横長矩形枠となるようにしたものであり、例えば夫々角鋼管やアングル材、チャンネル材等によるものとし、コーナー部を溶接一体化するか、または、適宜接続金具を介して着脱自在にボルト・ナット締めする等、各種公知の一体化手段によって枠組みする外、それら枠組み内に格子状に補助長杆や補助短杆等を採用して補強してなるものとしたり、合板やプラスチック板、アルミ板、ステンレス板その他適宜板体を単独でか適宜積層一体化したものとして覆い尽くした板状構造にしてなるものとすることも可能である。
【００１０】
そして、この横長台枠は、一方の長杆が、地上からの高さ位置を収穫対象となる野菜畑の畝高（通常で焼く１５cm程度）以上、場合によっては畝の上に生長した野菜の背丈を加えた高さ程度のものになるよう規制され、他方の長杆をそれよりも高く保持することによって傾斜姿勢となる如くして配されるようにしなければならず、該傾斜姿勢を実現するため、高位側となる長杆側に配される畑地運行用車輪のための軸受け部とそれに対応する短杆適所との間に軸受用の縦杆を配設、一体化してしまい、その傾斜角度を適宜角度、例えば２５°〜４５°程度の範囲の中から作業性に適した最適な角度の傾斜姿勢に固定してなるものとするか、あるいは当該軸受用の縦杆に対して短杆が適宜位置で着脱自在に固定できるようにし、作業内容に応じた傾斜姿勢を作業者が随時選択、採用できるようにしたり、あるいは、常に運搬専用台車として使用する際には、傾斜姿勢から平坦姿勢へと変更したままにできるようにしたものとすることも可能である。
【００１１】
畑地運行用車輪は、上記したとおりの所定の傾斜姿勢とした横長台枠を安定に支承し、収穫物の生長した畝間に接地し、畝の方向に沿って円滑に転動移動できるようにしたものでなければならず、畝間の地表が軟弱で凹凸のある状態でも地中に刺さり込んでしまったり、あるいは凹凸の影響で転動しなくなってしまうことがないよう、最適なサイズ（例えば３０〜４０cm程度の径）の車輪を選択する必要がある外、荷重が掛かっても簡単に地中に沈んでしまうことがないよう、その接地面の幅も十分に吟味したものとしなければならない外、その経済性や耐久性、取扱い性等の面でも有利なものとすべきであり、したがって、それらの条件を満足するものであれば公知の各種構造の車輪の採用も勿論可能となるが、その中、特に空気入りタイヤからなる畑地運行用車輪が最も望ましいといえる。
また、採用する個数も、その積載荷重や前記した横長台枠のサイズや構造強度、さらには移動の際の安定性等を考慮し、３個以上、最適には左右、前後で対称配置となる４個組みで畑地運行用車輪となるようにするとよい。
【００１２】
こうして傾斜姿勢に配される横長台枠に対し、その低位側の長杆には、載置した収穫用容器が、その傾斜姿勢のために傾斜下方側にズリ落ちてしまわないよう機能する受止め部が併設されていなければならず、例えば低位側の長杆の要所要所に、傾斜姿勢に対して直交する方向に突出状となる突辺あるいは突起を直接立設してなるものとしたり、後述の実施例で採用するように、該長杆とは別体で、略長杆と同様にした部材を、該長杆に近接、平行するように配して実現するようにしたもの等、横長台枠に載置されて同じく傾斜姿勢となった収穫用容器の傾斜下方側側壁適所に当接してそのズリ落ちを阻止するようにしたものの外、傾斜姿勢となった収穫用容器の底面に対して摩擦抵抗を生じさせる部材、例えば全面に滑り止め用逆小突起を多数設けた板体や、凹凸面加工の施された生ゴム板を積層、一体化した板体、その他公知の各種摩擦抵抗板あるいは片、突起を単独または併用してなるものも同様の機能を果たし得ることから、この発明における受止め部の技術的範疇に含まれる。
【００１３】
また、この発明の収穫用台車における横長台枠は、望ましくは、以下のような構成部材が組み込まれてなるものとするようにすれば、極めて好都合のものとするができる。
先ず、その一つ目が資材スタンドであり、次が用具ボックス、残る一つが雨避け覆いである。
資材スタンドは、例えばレタスの収穫用容器であるダンボール箱への収容に際しては、ダンボール箱の底一杯にレタスが並べらてから、その上に二段目のレタスを一杯に並べ、次に三段目を……といった詰め方の収容を数段に渡ってダンボール箱内が満杯となるまで繰り返していくことになり、箱詰め後の搬送過程等で各段毎のレタスの位置が上下で食い込んでズレ動いてしまって整然と詰め込まれた状態が確保し続けられなかったり、あるいは、そのズレ動きで隣接するレタスの葉っぱ同士が擦れあって痛んでしまい、商品価値を落としてしまったりするといった不都合を回避するため、一段詰め終わる毎に緩衝用シートを介在させ、その上に次の段のレタスを並べていく作業を実施する必要があり、その際の緩衝用シートを主としてまとめて横長台枠適所に確保しておく機能を果たすものであり、複数横並びに直列状載置となる収穫用容器全ての各段毎に必要となる数量の緩衝用シート、あるいは必要に応じて耐水シートや外装表示ラベルその他、箱詰め用に必要な資材、さらには補充用の収穫用容器として折り畳んだままの状態の段ボール箱等、主として平板状資材を収容可能とする構造に形成したものとし、前記した横長台枠の適所、即ち横並び状に載置される収穫用容器の何れかの間で、取り扱いに便利な箇所に、１台または用途別に複数台、何れも着脱自在で、望ましくは取着箇所が自由に選択可能になるようにした適宜公知の取着手段で立設するようにして組み合わせる。
【００１４】
用具ボックスは、レタス等収穫物を満杯に詰め終えたダンボール箱の上蓋をその場で閉じてしまうための器具、例えば「ボクサー」（商品名、大型のステイプラー）の外、荷造り紐、テープ類等のように転がり易い資材や、収穫用刃物、スパナやペンチ等といった修理用工具その他を収容する機能を果たすものであり、適宜箱型形状（必要に応じて蓋付のものとする。）で耐衝撃性のある素材、例えばステンレス製、プラスチック製、木製のもの等として形成するようにし、前記した横長台枠適所に直接着脱自在に取着できるようにしたり、あるいは畑地運行用車輪のための軸受け部とそれに対応する横長台枠短杆適所との間に配設する軸受用の縦杆か、それを利用した部分に着脱自在に取着するようにする。
【００１５】
雨避け覆いは、傾斜姿勢とした横長台枠上の複数個の収穫用容器全体に水滴がかからないようにし、主として収穫用容器の性状の保護や搬送上で問題を生じさせないようにすると共に、収穫用容器内の収穫物に余分な水滴が付着したり、直接陽射しを受けてしまわないようにする機能を果たすためのものであり、横長台枠またはそれに付随する部材にフレームを取着または着脱自在に取着し、当該フレームを利用してプラスチックシート等適宜耐水シートを張設することによって実現される。
以上のとおりの構成を要旨として形成されるこの発明の収穫用台車が、より一層理解し易くなるようにするため、以下では幾つかの具体的な実施例を取り上げ、詳細な説明を加えていくことにする。
【００１６】
【実施例１】
図１には、この発明を代表的する収穫用台車の全体斜視図、図２には、同収穫用台車の使用態様を説明するための全体斜視図が示されているように、この実施例の収穫用台車は、畑地運行用車輪９，９，……が、横長台枠Ｋの長杆１，１に平行するように配され、横長台枠Ｋが、１本または複数本の畝を跨ぎ、その長杆軸心方向が畝の方向に合致するようにして移動するようにしたものの代表的な事例が示されている。
【００１７】
横長台枠Ｋは、左右に対をなす長杆１，１と、その前後端に直交状に一体化される、収穫用容器Ｄの平面長手方向の長さよりもやや短い寸法に設定してなる短杆２，２とにより、横長矩形状の枠体を構成するようにして形成された上、それらの内側にも、補強用として補助長杆１１および補助短杆２１，２１が格子状配置となるようにして組み込まれ、該横長台枠Ｋ全体の構造強度を高める一方、収穫用容器であるダンボール箱Ｄ，Ｄ，……の底が、内部に収穫物を取り込んで荷重が掛かることにより、下方に落ち込むようにして撓んでしまう現象を防止するようにした構造のものとされている。
【００１８】
この横長台枠Ｋは、長杆１，１の夫々の地上からの高さを変えた傾斜姿勢に保持した状態で、その長杆１，１に平行するように配した前後に二輪ずつの畑地運行用車輪９，９、および９，９に支承された構造となるよう、低位側の長杆１の前後外側に空気入りタイヤからなる畑地運行用車輪９が一個ずつ配され、夫々長杆１と軸受枠９２とにその車軸９１が着脱自在に軸着され、低位側の長杆１は、それら畑地運行用車輪９，９の内側で、同車軸９１と略同じ高さ位置に保持されるようになる。したがって、低位側の長杆１の地上高を、少なくとも畝の高さ以上（通常では１５cm以上）とするためには、畑地運行用車輪９の径が畝高の二倍以上の３０〜４０cm程度となる比較的大型のものを採用する必要があり、その結果、大径の故にこの畑地運行用車輪９は、畑地を転動する際に土表面の軟弱な凹凸面にもそれほど影響されることもなく、円滑な動きを実現するものとなる。
【００１９】
一方、横長台枠Ｋの高位側の長杆１は、前記低位側の長杆１から約３０°程度の斜め上方に向けた角度で傾斜させてなる仮想線上であって、対象となる収穫物のために用意された収穫用容器Ｄの平面長手方向の長さよりもやや短い寸法に相当する箇所に位置するよう、同側に配した畑地運行用車輪９，９の軸受枠９２から立ち上げた縦杆４との交叉位置で熔着、固定され、当該長杆１が、その下方に配された畑地運行用車輪９，９と実質的に一体化され、これら畑地運行用車輪９，９と先の畑地運行用車輪９，９との四輪により、横長台枠Ｋが所定の傾斜姿勢に支承されてなる構造となした上、低位側の長杆１に近接したやや上方には、該長杆１に平行するようにして受止め部３が横設されたものとすることにより、この発明の収穫用台車を実現する。
図中、５は、この受止め部３を所定高さ位置に保持するため、長杆１の両端から立ち上げた補助縦杆を示しており、先の縦杆４との間を連結杆によって一体化するようにしてある外、縦杆４，４同士も、その下端相互を他の連結杆で一体化し、全体の剛性が高まるようにしてある。
【００２０】
【実施例２】
次に示す実施例は、図３の全体斜視図、図４の背面図、図５の右側面図、および図６のこの収穫用台車の使用態様を説明するための全体斜視図からも理解されるように、前記した実施例とは違い、畑地運行用車輪９，９，……が、横長台枠Ｋの短杆２，２に平行するように配され、横長台枠Ｋが、１本または複数本の畝を跨いだ上、その長杆軸心を畝に直交する状態としたまま、畝方向に沿って移動するようにしたものの代表的な一事例である。
【００２１】
横長台枠Ｋは、左右に対をなす長杆１，１と、その前後端に直交状に一体化される、収穫用容器Ｄの平面長手方向の長さよりもやや短い寸法に設定してなる短杆２，２とにより、横長矩形状の枠体を構成するようにして形成された上、それの内側に、補強用の補助長杆１１および補助短杆２１を十字状配置となるように組み込み、その傾斜姿勢を、前記実施例同様、縦杆４によって保持するようにした上、特に図５の側面図に示すとおり、短杆２と同縦杆４との交叉部には、角度調整ボルト・ナット２２が着脱自在に挿通され、横長台枠Ｋの傾斜姿勢が、作業者の使用勝手に応じ、約４５°から０°の範囲内で、２〜１０段階程度に設定した適宜段階（図面では８段階）に渡って適宜変更可能にしてある。
【００２２】
この横長台枠Ｋの両短杆２，２の夫々の外側には、その軸受部を短杆２，２に平行する側に形成可能となるようにした軸受枠９２，９２，……が設けられていて、夫々に畑地運行用車輪９，９，……が、夫々の車軸９１を短杆２に直交するようにした配置で着脱自在に軸着され、横長台枠Ｋが、その長杆１，１を畝の方向に直交状にした状態で、これら畑地運行用車輪９，９，……が畝間を畝に沿って移動し得るようにしてある。
【００２３】
なお、図示にはしていないが、当該軸受枠９２，９２，……の軸受部に適宜アタッチメント形式の取付金具等を介することができるように、夫々の車軸９１が、短杆２に平行（即ち、長杆１に直交）する状態で軸着可能となるような構造を採用すれば、前記した実施例１と同様の状態（即ち、長杆１の軸心が畝の方向に合致した状態）としても使用可能な収穫用台車とすることができ、したがって、畑地の状況や収穫作業の段取り、あるいは作業者の使い勝手等各種条件に応じ、同一構造の横長台枠Ｋに対する全ての畑地運行用車輪９，９，……の軸着方向を随時選択、採用することによって二通り、即ち、横長台枠Ｋの長杆１，１軸心を畝の方向にした状態で移動のできる台車と、横長台枠Ｋの長杆１，１軸心を畝の方向に直交状とした状態で移動のできる台車とに使い分けの可能な構造の収穫用台車とすることも可能となる。
【００２４】
こうして所定の傾斜姿勢にした横長台枠Ｋが、横長台枠Ｋの長杆１，１軸心を畝の方向に直交状とした状態で移動のできるようにした収穫用台車に対し、図３に示すとおりの構造の資材スタンド６、および用具ボックス７が、夫々着脱自在となるようにして組み合わされている。
先ず、資材スタンド６は、収穫用容器Ｄ内に収容するレタス等の収穫物が底に一段詰め込まれた後、その上に直接二段目の収穫物が載るようにしないで、段毎の収穫物間をその都度隔絶した状態として収容するための緩衝用シートＭ，Ｍ，……、例えば段ボール紙やウレタンフォームマットその他素材からなる耐水性や弾力性等の緩衝機能を有し、且つ軽量で安価な平板体（収穫用容器の平面形よりもやや小さめとした平板体）の多数を、横長台枠Ｋの適所に取り出し易い状態でまとめ置くことができるようにしたケース状構造のものであり、底部の適所を長杆１，１上に掛け渡し、当該長杆１，１の一方または双方に対して着脱自在な適宜構造によって取着できるようにしてあり、図６の斜視図のように、収穫用容器Ｄ，Ｄ，……の何れかの間に立設状となるようにして組み合わされ、使用されることとなる。
なお、この資材スタンド６は、対象となる資材の形状によって適宜構造のものとすることができることはいうまでもない。
【００２５】
次に、用具ボックス７は、畑の中における収穫作業中に必要な収穫用刃物を始め、接着テープやラベル、紐類等といった各種収穫用用具や、この台車の横長台枠Ｋの傾斜姿勢を作業者の使い勝手に応じた都合の良い角度に調整し直したり、あるいは台車の各部何処かに故障を生じたときの修理用各種工具類、その他作業者が必要とする各種小物類等を適宜格納しておくことを可能にするものであり、図３の全体斜視図や図４の背面図からも理解されるとおり、所定の傾斜姿勢にした横長台枠Ｋを畑地運行用車輪９，９に支承するための縦杆４と、それに平行するようにして立設した補助縦杆７１との各上端間に連結杆を一体化しておき、当該連結杆に、逆Ｕ字形金具やボルト・ナット、バンド等といった各種公知の取着手段で着脱自在に取り付けられるようにしてある。
なお、この用具ボックス７と前記資材スタンド６とは、何れか一方または双方を必要に応じて採用すればよく、したがって当然両方とも採用しない台車としても使用可能であることはいうまでもない。
【００２６】
【実施例３】
図７の使用状態斜視図に示した実施例は、前記実施例１に示した構造の横長台枠Ｋと畑地運行用車輪９，９，……との組み合わせからなる収穫用台車に、上記した実施例２で採用している資材スタンド６および用具ボックス７を組み込んでなるものであり、４箱の段ボール箱Ｄ，Ｄ，……を直列状にして横長台枠Ｋ上に乗せると共に、その丁度中央辺りに資材スタンド６が立設状に組み込まれ、緩衝用シートＭ，Ｍ，……が多数差し込まれ、何時でも上方に抜き取ることができるようにしてあると共に、実施例２の場合とは逆に、用具ボックス７は、作業者から見て右側となる短杆２側に張り出し状に取着された事例のものとなっており、収穫用刃物外の用具Ｔを格納した状態も表示してある。
【００２７】
【実施例４】
最後の実施例として図８の全体斜視図に示した事例は、横長台枠Ｋ上が、雨避け覆い８によって覆われるようにしたものであり、横長台枠Ｋを所定の傾斜姿勢に保持する縦杆４，４を利用して、上端側を横長台枠Ｋの低位側の長杆１上方辺りに向けて競り出し状に湾曲させた一対のパイプフレーム８１，８１を立設する一方、左右にサイドシート８３，８３が形成され、内部にはフレーム挿通片８２，８２，……が熔着されてなる雨避け覆い８を用意し、それら左右のフレーム挿通片８２，８２，……を、対応するパイプフレーム８１，８１に夫々挿通することにより、該雨避け覆い８がパイプフレーム８１，８１の外側に添設状となるようにした上、サイドシート８３，８３の下端角部の鳩目金具に固定紐８４を通し、その直下の横長台枠Ｋ適所に縛り付けて全体が弛み無く張設してなるものとすることにより、横長台枠Ｋに収穫用容器Ｄ，Ｄ，……を直列状に載置した状態のさらに上方側が、横長台枠Ｋの低位側長杆１側、即ち収穫物を収穫用容器Ｄ，Ｄ，……に収容する作業を実施する側を開放した状態となるようにした構造の覆いを組み合わせ、実現してなるものである。
【００２８】
実施例では、雨避け覆い８およびサイドシート８３，８３の各下端縁が、何れも横長台枠Ｋにまで達しない、中途に止まった長さのものとしていて、必要最小限の部分だけを覆い、またできるだけ横風による影響が出ないような構造のものとしているが、勿論この構造に限定されてしまう訳ではなく、最適な構造、形状の雨避け覆い８およびサイドシート８３，８３、そのためのパイプフレーム８１，８１とすることができ、したがって、特に図示にはしていないものの、例えば、通常の幌構造のように横長台枠Ｋの四隅に直状のフレームを立設し、それら各フレーム上端四隅を支持部として雨避け覆い８を張設したり、あるいはトンネルハウスに用いる門型フレームを横長台枠Ｋの四隅を利用して立設、固定し、その外側中途までを適宜シートで覆って雨避け覆い８とする等、各種構造による雨避け覆い８の組み合わせが可能になることはいうまでもない。
【００２９】
【作用】
以上のとおりの構成を要旨とするこの発明の収穫用台車は、収穫作業を必要とする畑のそばで、予め多数の収穫用容器をまとめてある箇所において、所定の傾斜姿勢とした横長台枠Ｋ上に、収穫対象となる収穫物の品質等級区分、例えばＳ，Ｍ，Ｌ，ＬＬ等の基準に従った場合には４個の収穫用容器Ｄ，Ｄ，……を、横方向に直列状になるように並べて載せた上、畑地運行用車輪９，９，……が横長台枠Ｋの長杆１，１に平行に軸着された、例えば実施例１または３、４のような構造の収穫用台車であれば、横長台枠Ｋの長杆１，１軸心が畝の方向に沿うようにした状態（したがって、畑地運行用車輪９，９、および９，９は、１列または２列以上の収穫の対象とならない畝か、収穫を終えた畝を跨ぐ状態）で収穫すべき畝の直ぐ横、作業者の手の届く所に低位側の長杆１側が位置する傾斜姿勢となるようにして、例えば収穫すべき畝の左側に収穫用台車を位置させたとすると、作業者は、収穫すべき右側の畝と収穫用台車との間の溝に膝付き姿勢のまま、右側の畝から収穫物を切り取り、品質等級毎に区分けをした上、一々立ち上がることなく、膝付き姿勢のままで左側の収穫用容器Ｄ，Ｄ，……の中の何れか該当する収穫用容器Ｄを覗き見るようにして内部を確認しながら、所定の収穫用容器Ｄの中に収穫物を並べ置くようにする作業を繰り返し、横長台枠Ｋの長杆１の長さかそれよりもやや長い範囲の畝の収穫物の収穫、選別収容を終えると、この発明の収穫用台車を一気に次の収穫範囲に対応する位置まで畝に沿って移動してしまってから（立ち上がる必要がある。）、先と同様の作業をするか、あるいは一気の移動しないで収穫を続けながら少しずつ当該台車を畝に沿って移動する（この場合には立ち上がる必要がなく、膝付き姿勢を続けていける。）かして、順次その畝からの収穫作業を実施していく。
【００３０】
一方、畑地運行用車輪９，９，……が横長台枠Ｋの短杆２，２に平行に軸着された、例えば実施例２のような構造の収穫用台車ものであれば、横長台枠Ｋの長杆１，１軸心が畝に直交するようにした状態（したがって、畑地運行用車輪９，９、および９，９は、少なくとも２列以上の収穫対象となる畝を跨ぐ状態）にし、収穫をしていく側に低位側の長杆１が位置する傾斜姿勢とし、作業者が収穫していく方向に背を向ける状態にする（この作業態勢では、当該台車は収穫を終えた畝の上を前進することになる。）か、あるいは、収穫をしていく側に高位側の長杆１が位置する傾斜姿勢とし、作業者は、当該台車の後ろにいて収穫していく方向を向いた状態にする（この作業態勢では、当該台車は収穫しようとする畝の上を前進することになる。）かして、少なくとも隣り合う２列の畝の間に膝付き姿勢で望み、その２列の畝から次々に収穫物を切り取り、品質等級毎に区分けをした上、一々立ち上がることなく、膝付き姿勢のままで目の前に手前側に傾斜状となっている収穫用容器Ｄ，Ｄ，……の中の何れか該当する収穫用容器Ｄを覗き見るようにして内部を確認しながら、所定の収穫用容器Ｄの中に収穫物を並べ置くようにする作業を繰り返し、手の届く範囲の収穫を終えると、後づさりしながら当該台車を引き寄せ、次の収穫を必要とする位置まで膝付きのままで移動するか、あるいは当該台車を押し進め、それまで当該台車の下に隠れていた収穫物を露にするかして、順次収穫作業を進めていく。
【００３１】
こうして収穫作業を進める過程で、一段毎緩衝シートＭを介在する必要のある収穫物、例えばレタスの収穫等のような場合には、実施例２または３に示した事例のように、予め横長台枠Ｋ上適所に資材スタンド６を組み込んで多数の緩衝用シートＭ，Ｍ，……を用意したものとし、それらの中からその都度一枚の緩衝用シートＭを簡単に取り出しては収穫物の上に介在するようにして収穫作業を進め、収穫用容器Ｄ，Ｄ，……内に収穫物が収容されていって、どれかの収穫用容器ＤまたはＤで満杯となった収穫用容器Ｄ（各等級毎の収穫用容器Ｄ，Ｄ，……が平均して満杯になれば、全ての収穫用容器Ｄ，Ｄ，……）は、その場で用具ボックス７に用意したボクサー（商品名）や接着テープ等の用具Ｔで封印をしてしまい、収穫作業後の邪魔にならない畑地上に並べ置き、他の者が回収、移動するようにした上、空いた横長台枠Ｋには、新たな収穫用容器Ｄを補充してさらに収穫作業を継続していくようにするか、あるいは満杯にならない収穫用容器Ｄがあっても、一旦最初の場所に戻って満杯の収穫用容器Ｄを降ろして封印をし、空いた横長台枠Ｋ上に新たな収穫用容器Ｄを補充し直し、再び収穫していた畝まで戻るようにする。
【００３２】
なお、収穫作業の中途で俄雨に遭遇する虞があったり、あるいは早朝の収穫や山間部での収穫のように浅靄や霧等の影響が心配されるとき、あるいはまた、日中の作業で強い陽射しによる収穫物への影響を防止する必要がある場合等には、実施例４に取り上げた構造に代表されるような雨避け覆い８を、予め横長台枠Ｋに取り付けてなる収穫用台車となし、休むことのできない収穫作業が予定どおりに遂行できるようにする。
【００３３】
【効果】
以上詳述したとおり、この発明の収穫用台車は、作業者が、一々立ち上がっては腰を折るといった繰り返しをしていた従前のような過酷な作業を全く必要としないで、レタス等収穫物の収穫作業を膝を付きながらの低姿勢のままで実施することができるようにするという極めて大きな特徴を有するものであり、しかも、比較的安定した作業姿勢のまま、作業者は、その場で収穫物の品質等級別の区分け作業までも同時に済ませてしまうことができるものとなっており、従前のように一旦所定の場所に集めて区分けするという二重の手間を省き、極めて効率的に収穫、出荷作業を完了することができるという秀れた特徴をも発揮し得るものであり、レタス栽培農家のように、広大な面積に大量の収穫物を栽培して出荷しなければならない農家に対し、肉体的負担の軽減化と作業工程の効率化との両面で大いに貢献するものになるといえる。
【００３４】
また、その構成も比較的簡素なものとして実現可能なものとなっており、製造も容易で、安価に提供可能とするものであり、しかも、横長台枠に対する畑地運行用車輪の組み合わせ、配置具合を適宜選択したものとして提供するか、あるいはユーザーサイドで適宜選択使用可能なものとして提供するかして、作業者の使用勝手に応じて最適な状態での使用ができるようにすると共に、横長台枠の傾斜姿勢角度も適宜選択できるものとして提供することも可能になる上、収穫作業中に必要となる各種資材や用具等を予め用意したり、格納したりすることができる資材スタンドや用具ボックスも、必要に応じて横長台枠あるいはそれに付随する部材に適宜着脱自在に取着できるようにしたものとしての提供も可能になる外、雨水や陽射し避けとしての雨避け覆いの組み合わせも可能にするものとして提供でき、場合によっては通常の運搬用台車として収穫期以外でも使用が可能になる台車にもなる等、作業者が、作業内容に応じた構造の収穫用台車としての使用を比較的自由に選択できるようにしたものとしていることから、この種台車を必要とする栽培農家にとって極めて経済的且つ利便性に富む器具として大いに役立つものになるといえる。
【００３５】
特に、各実施例に示した収穫用台車は、上記したこの発明の目的、作用効果を確実に達成可能にする上で都合の良い構造を兼ね備えたものとなっており、その製造性、梱包・輸送性を始め、製品としての組立て・分解性や、台車としての取扱い操作性等の点で極めて有利な構造からなるものとになっていて、器具を製造するメーカーにとっても勿論有利なものとなるだけではなく、それを採用、使用する農家にとっても極めて実用価値の高いものになるという秀れた特徴を発揮できるものとなっていることから、この発明の収穫用台車を広く普及する上で大いに威力を発揮するものになるといえる。
【００３６】
叙述の如く、この発明の収穫用容器は、その特徴ある構成によって遍く所期の目的を達成可能にするものであり、レタスを始めとする各種農作物栽培農家の農家経営を、肉体的にも経済的にも安定したものにすると共に、農業環境の激変で厳しい経営に直面する農業機械製造メーカーや同販売店等にとっても、実用性に富み、比較的購入し易い価格帯の新商品として取り扱うことを可能にしていて、企業経営の活性化にも役立つものになり、延いては、農作物の価格安定化にも繋がることとなって、新鮮な農産物の安価な提供を期待する消費者にも有利に作用することにもなる等、様々利点を有するものとなることから、各方面から夫々高い評価がなされ、大いに採用、普及していくものになると予想される。
【図面の簡単な説明】
図面は、この発明を代表する実施例の幾つかを示したにすぎない。
【図１】      この発明の最も基本的な構成からなるもの全体斜視図である。
【図２】      同使用態様を説明するための全体斜視図である。
【図３】      他の実施例からなる代表的な事例の全体斜視図である。
【図４】      同背面図である。
【図５】      同右側面図である。
【図６】      同使用態様を説明するための全体斜視図である。
【図７】      さらに他の実施例によるものの使用態様を説明する全体斜視図である。
【図８】      さらにまた別の実施例の代表的な事例を示す全体斜視図である。
【符号の説明】
１              長      杆
１１            同  補助長杆
２              短      杆
２１            同  補助短杆
２２            同  角度調整ボルト・ナット
３              受止め部
４              縦      杆
５                同  補助縦杆
６              資材スタンド
７              用具ボックス
８              雨避け覆い
８１            同  パイプフレーム
８２            同  フレーム挿通片
８３            同  サイドシート
８４            同  固定紐
９              畑地運行用車輪
９１            同  車軸
９２            同  軸受枠
Ｄ              ダンボール箱等の収穫用容器
Ｋ              横長台枠
Ｍ              緩衝シート
Ｔ              収穫用刃物等の用具
【図１】
0003822983.tif 000002
【図２】
0003822983.tif 000003
【図３】
0003822983.tif 000004
【図４】
0003822983.tif 000005
【図５】
0003822983.tif 000006
【図６】
0003822983.tif 000007
【図７】
0003822983.tif 000008
【図８】
0003822983.tif 000009